(57)【要約】【課題】  原稿の品質をより一層低下させることなく、原稿の重送を防止し確実に１枚ずつ原稿を画像読取手段に供給搬送できるシート材給送装置を提供する。【解決手段】  複数のシート材を積み重ねた状態で収容する原稿載置トレイから搬送されるシート材を１枚毎に分離するシート材分離手段を備え、上記シート材分離手段は、シート材の搬送方向に回転する搬送ローラＲ２と、当該搬送ローラＲ２と圧接しているとともに上記シート材の搬送方向の逆方向に回転する無端ベルト状の逆転ベルトローラＲ２ａとを有しており、上記逆転ベルトローラＲ２ａは、スポンジ部材と当該スポンジ部材の外周に設けられた表面が平滑化されたコーティング層とを含んでいる。【選択図】  図１
2006168859.tif 000002
【特許請求の範囲】
【請求項１】
複数のシート材を積み重ねた状態で収容するシート材収容手段から搬送されるシート材を１枚毎に分離するシート材分離手段を備え、
上記シート材分離手段は、シート材の搬送方向に回転する回転ローラと、当該回転ローラと圧接しているとともに上記シート材の搬送方向の逆方向に回転する無端ベルト状のベルト部材とを有しており、
上記ベルト部材は、スポンジ部材と、当該スポンジ部材の外周に設けられ、表面が平滑化された平滑部材とを含むものであることを特徴とするシート材給送装置。
【請求項２】
上記平滑部材の表面の平均粗さＲａ（μｍ）が、０．２９以下であることを特徴とする請求項１に記載のシート材給送装置。
【請求項３】
上記平滑部材の表面の平均粗さＲａ（μｍ）が、０．０９≦Ｒａ≦０．１１の範囲内であることを特徴とする請求項１に記載のシート材給送装置。
【請求項４】
上記平滑部材は、ウレタンゴムからなることを特徴とする請求項１に記載のシート材給送装置。
【請求項５】
上記平滑部材は、ディッピング法によって上記スポンジ部材の表面に形成されてなるものであることを特徴とする請求項１に記載のシート材給送装置。
【請求項６】
請求項１記載のシート材給送装置と、当該シート材給送装置によって給送された上記シート材に形成されている画像を読取る画像読取手段とを備えることを特徴とする画像読取装置。
【請求項７】
請求項６に記載の画像読取装置と、上記画像読取装置によって読取られた画像データに基づいて画像を形成する画像形成手段とを備えることを特徴とする画像形成装置。
【発明の詳細な説明】
【技術分野】
【０００１】
本発明は、原稿や記録材を供給搬送するためのシート材給送装置、および、それを備えた画像読取装置、画像形成装置に関するものである。
【背景技術】
【０００２】
近年、シート状の原稿を自動的に搬送し、順次読取るようにした画像読取装置が画像形成装置などに搭載され、効率的な画像読取りや画像形成が行なわれるようになっている。そして、デジタル技術が進歩し、原稿を読取って電子データへ変換する変換速度や、当該電子データに基づく画像形成速度が速くなり、より多くの枚数の原稿の処理を高速に行うことができるようになっている。そして、これらの画像読取装置では、一度にセットできる原稿の枚数が１００〜２００枚程度と非常に多くなってきており、また、画像読取装置の原稿搬送部の進歩に伴い搬送できる原稿の種類も多様化してきている。
【０００３】
ところで、上記のように原稿等のシートを多数枚セットして供給搬送し、原稿の画像を読取る画像読取装置では、原稿載置トレイに積載した原稿を１枚毎ピックアップして読取りを行っている。そして、複数枚積載された原稿から１枚だけを原稿読取部に供給搬送するために、搬送ローラと逆転ローラ等により構成される分離手段を用いて、原稿を１枚ずつ原稿読取部に供給搬送している。
【０００４】
具体的には、上記原稿装置では、搬送ローラと逆転ローラとを圧接させて、その間に原稿を供給搬送し、上記原稿を１枚ずつ原稿読取部に供給搬送するために、複数枚の原稿がピックアップされた場合に、上記逆転ローラに接触している原稿が原稿載置トレイに戻るようにすることで、搬送ローラに接触している原稿１枚のみを原稿読取部に続く搬送路に供給するようにしている。
【０００５】
このとき、分離手段の上記逆転ローラは、トルクリミッタを介して、搬送ローラの回転方向とは逆方向の回転駆動力の伝達を受けるための駆動部に連結されている。そして、原稿が分離手段の搬送ローラと逆転ローラとの間に１枚のみ挟持されている場合の負荷トルクでは、逆転ローラが駆動部に対してスリップすることで、逆転ローラが原稿と共に連れ回りして１枚の原稿のみが分離手段を通過できる。つまり、原稿が１枚だけ供給搬送される場合には、逆転ローラは、搬送ローラと同じ方向に回転することになる。
【０００６】
しかし、原稿が２枚以上挟持されようとしたときには、逆転ローラにかかる負荷トルクが変化して、トルクリミッタにより逆転ローラがスリップできなくなり、原稿の搬送方向とは逆の方向に逆転ローラが回転することにより、確実に１枚の原稿だけを供給搬送できるようになっている。
【０００７】
ところで、逆転ローラに従来からのソリッドタイプで滑りにくい逆転ローラを使用している場合には、原稿の逆転ローラ側に接触する面に、例えば、鉛筆や定着性の悪いインク等により文字や絵などの画像が書き込まれていると、逆転ローラにより上記画像が擦られて画像が流れてしまうという画像の尾引き現象が発生する。その結果、逆転ローラが接触する面を読取る時に読取画質が低下してしまい、読取データの品質やそのデータを用いての画像形成物の画質が低下してしまうだけでなく、原稿自体の品質を著しく低下させてしまうという問題がある。
【０００８】
このような難点を解消するため、および、分離性能や搬送性の向上等を図るために、柔軟な材質で形成した逆転ローラも従来から種々提案されている。例えば、分離回転手段（逆転ローラ）を、給送回転手段（搬送ローラ）よりも硬度の小さい材質で形成したシート材給送装置が提案されている（例えば、特許文献１参照）。この場合、分離回転手段と給送回転手段が圧接した時に、ニップ形状が分離回転手段側に凹形状となり、このニップ部分に送り出し手段によって複数のシート材が送り込まれると、送り込まれた全てのシート材の先端側が分離回転手段に対して直接接触可能になると記載されている。なお、分離回転手段としてのスポンジリタードローラの外周面に、同材質のウレタン液を均一にスプレーコーティングすることにより、コーティング層を形成している。
【０００９】
しかしながら、回転ローラと逆転ローラとのみを用いて、１枚ずつ原稿を供給する場合には、確実に逆転ローラに接触している原稿を原稿載置トレイに戻るようにするためには、回転ローラと逆転ローラとの圧接力を高め、２つのローラ間のニップをより大きくする必要がある。ところが、ニップをより大きくするためには、上記トルクリミッタも大きな負荷トルクに対応できるものが必要になり、また、大きなトルクを発生させることができる駆動部を用いる必要があるという問題がある。また、この場合には、トルクリミッタの寿命が短いという問題もある。
【００１０】
そこで、上記の問題を解決するために、例えば、上記逆転ローラの代わりに、分離ベルトを用いて、原稿を１枚ずつ供給搬送する構成が提案されている（例えば、特許文献２〜４参照）。特許文献２〜４の構成では、分離ベルトを用いることで、大きな負荷トルクに対応したトルクリミッタを用いなくても、分離ベルトと回転ローラとの間でより大きなニップ部を形成することが可能である。
【特許文献１】特開平７−１１７８８０号公報（公開日：１９９５年５月９日）
【特許文献２】特開平８−３２４８１７号公報（公開日：１９９６年１２月１０日）
【特許文献３】特開平９−１１０１９７号公報（公開日：１９９７年４月２８日）
【特許文献４】特開昭６４−８７４３４号公報（公開日：１９８９年３月３１日）
【発明の開示】
【発明が解決しようとする課題】
【００１１】
しかしながら、上記特許文献２〜４に開示の構成では、より大きなニップ部を形成することはできるが、分離ベルトの構成については何ら考慮されていない。例えば、特許文献３では、ＥＰＤＭ（エチレン−プロピレンゴム）からなる分離ベルトを使用している。従って、例えば、上記分離ベルトがＥＰＤＭのみからなる場合には、当該ＥＰＤＭの硬度により、シート材に対する部分的な接触圧が不均一になり、原稿に上記画像の尾引き現象が部分的に現れる場合がある。
【００１２】
本発明は、上記の問題点に鑑みてなされたものであり、その目的は、原稿の品質をより一層低下させることなく、原稿の重送を防止し確実に１枚ずつ原稿を画像読取手段に供給搬送できるシート材給送装置、画像読取装置及び画像形成装置を提供することにある。
【課題を解決するための手段】
【００１３】
本発明に係るシート材給送装置は、上記課題を解決するために、複数のシート材を積み重ねた状態で収容するシート材収容手段から搬送されるシート材を１枚毎に分離するシート材分離手段を備え、上記シート材分離手段は、シート材の搬送方向に回転する回転ローラと、当該回転ローラと圧接しているとともに上記シート材の搬送方向の逆方向に回転する無端ベルト状のベルト部材とを有しており、上記ベルト部材は、スポンジ部材と当該スポンジ部材の外周に設けられた表面が平滑化された平滑部材とを含むものであることを特徴としている。
【００１４】
上記の構成によれば、複数のシート材が収容されているシート材収容手段から搬送されるシート材をシート材分離手段にて、１枚毎に分離して搬送している。
【００１５】
具体的には、上記シート材分離手段を構成している上記回転ローラは、シート材の搬送方向に回転しており、当該回転ローラとベルト部材との間に搬送される当該シート材を搬送方向へ搬送するものである。一方、上記シート材分離手段を構成しているベルト部材は、当該回転ローラとベルト部材とが圧接されている間に搬送される当該シート材が複数枚の場合に、確実に１枚のみが、当該回転ローラとベルト部材との間を通過できるように、シート材の搬送方向の逆方向に回転している。
【００１６】
そして、上記の構成によれば、上記ベルト部材は、スポンジ部材と当該スポンジ部材の外周に設けられた表面が平滑化された平滑部材とを含んでいる。これにより、ベルト部材の表面が平滑であるため、シート材が上記ニップ部を通過する際に、当該シート材の上記ベルト部材と接触する面が当該ベルト部材と擦れた場合でも、上記接触している面の品質が低下することを防止できる。また、上記ベルト部材は、スポンジ部材の表面（外周）に平滑部材が形成されているので、例えば、上記ニップ部をシート材が搬送される場合に、上記スポンジ部材によって、当該ニップ部においてシート材にかかる接触圧力を小さく、かつ、均一にすることができる。従って、シート材が上記ニップ部を通過するときに、当該シート材が過度に擦られることを防止できる。
【００１７】
これにより、例えば、上記シート材のベルト部材と接触する面に、当該シート材に対して定着性が悪い画像が形成されている場合、例えば、鉛筆書きやインクによって形成された画像が形成されている場合であっても、上記画像がベルト部材と擦れることによってシート材の品質およびシート材に形成された画像の品質が低下することを防止できる。
【００１８】
本発明に係るシート材給送装置は、上記平滑部材の表面の平均粗さＲａ（μｍ）が、０．２９以下である構成がより好ましい。
【００１９】
上記平滑部材の表面の平均粗さＲａ（μｍ）が、０．２９よりも大きい場合には、シート材に形成された画像がベルト部材と擦れることによる尾引き現象が発生する場合がある。従って、上記の構成とすることで、上記シート材に形成された画像がベルト部材と擦れることによるシート材の品質が低下することをより一層防止できる。
【００２０】
本発明に係るシート材給送装置は、上記平滑部材の表面の平均粗さＲａ（μｍ）が、０．０９≦Ｒａ≦０．１１の範囲内である構成がより好ましい。
【００２１】
上記平滑部材の表面の平均粗さＲａ（μｍ）を、０．１１以下とすることにより、シート材に形成された画像がベルト部材と擦れることによる尾引き現象の発生をより一層防止することができる。また、平均粗さＲａ（μｍ）を０．０９以上とすることにより、シート材とベルト部材とが擦れることにより発生する音（鳴き）を防止することができる。
【００２２】
本発明に係るシート材給送装置は、上記平滑部材は、ウレタンゴムからなる構成がより好ましい。
【００２３】
上記の構成によれば、平滑部材がウレタンゴムから構成されている。ウレタンゴムは、機械的強度に優れ、耐磨耗性に優れているので、上記回転ローラに対して接触しながら、回転するベルト部材の平滑部材として好適に用いることができる。なお、上記平滑部材としては、上記ウレタンゴムからなっていてもよく、また、ウレタンゴムを含む複合材料からなっていてもよい。
【００２４】
本発明に係るシート材給送装置は、上記平滑部材は、ディッピング法によって上記スポンジ部材の表面に形成されてなるものである構成がより好ましい。また、上記ディッピング法を用いてウレタンゴムからなる平滑部材を形成することがより好ましい。
【００２５】
上記の構成によれば、ディッピング法によって上記スポンジ部材の表面に平滑部材を形成している。ディッピング法は、例えば、スプレーコーティングによって平滑部材を形成する場合と比べて簡単、かつ、平滑度の高い平滑部材を形成することができる。つまり、上記の構成とすることで、より平滑度の高い平滑部材を得ることができる。
【００２６】
本発明に係る画像読取装置は、上記シート材給送装置と、当該シート材給送装置によって給送された上記シート材に形成されている画像を読取る画像読取手段とを備えたことを特徴としている。
【００２７】
上記の構成によれば、上記のシート材給送装置を備えているために、シート材の品質およびシート材に形成された画像の品質の低下を防止できるので、従来よりも、画像の状態がよい状態で当該画像を読取ることができる。これにより、従来よりも良好な読取画像を得ることができる。
【００２８】
本発明に係る画像形成装置は、上記画像読取装置と、上記画像読取装置によって読取られた画像データに基づいて画像を形成する画像形成手段とを備えたことを特徴としている。
【００２９】
上記の構成のよれば、上記画像読取装置を備えているので、従来よりも、より良好な読取画像を得ることができるため、この読取画像に基づいて画像形成を行うことにより、従来よりも、原稿の画像により類似した画像を形成することができる。
【発明の効果】
【００３０】
本発明に係るシート材給送装置は、複数のシート材を積み重ねた状態で収容するシート材収容手段から搬送されるシート材を１枚毎に分離するシート材分離手段を備え、上記シート材分離手段は、シート材の搬送方向に回転する回転ローラと、当該回転ローラと圧接しているとともに上記シート材の搬送方向の逆方向に回転する無端ベルト状のベルト部材とを有しており、上記ベルト部材は、スポンジ部材と当該スポンジ部材の外周に設けられた表面が平滑化された平滑部材とを含むものである構成である。それゆえ、例えば、上記シート材のベルト部材と接触する面に、例えば、鉛筆書きやインクによって形成された当該シート材に対して定着性が悪い画像が形成されている場合であっても、上記画像がベルト部材と擦れることによってシート材の品質およびシート材に形成された画像の品質が低下することを防止できる。
【発明を実施するための最良の形態】
【００３１】
本発明の一実施形態について図面に基づいて説明すると以下の通りである。
【００３２】
まず、本発明の実施形態に係るシート材給送装置およびシート材給送装置を備えた画像読取装置について、図面を参照しつつ詳細に説明する。
【００３３】
図２は、本実施の形態に係る画像読取装置１の概略構成を示す縦断面図である。この画像読取装置１は、大略的に、光学系２と、その上方に配置されるＡＤＦ（Ａｕｔｏｍａｔｉｃ  Ｄｏｃｕｍｅｎｔ  Ｆｅｅｄｅｒ）３とを備えて構成されている。そして、上記画像読取装置１は、例えば、複写機やファクシミリ装置のスキャナ装置として用いられ、原稿（シート材）の両面を読取り可能な構成である。
【００３４】
光学系２は、第１の読取り手段であるＣＣＤ（Ｃｈａｒｇｅ  Ｃｏｕｐｌｅｄ  Ｄｅｖｉｃｅ）読取りユニット１１を備えて構成され、原稿台１２上に載置されて平面状態に支持された原稿の画像を、光源ユニット１３およびミラーユニット１４によって、固定位置に設けられたＣＣＤ読取りユニット１１に結像し、読取りを行う。ＣＣＤ読取りユニット１１は、結像レンズ１１ａおよびＣＣＤイメージセンサ１１ｂなどを備えて構成される。
【００３５】
光源ユニット１３は、光源１３ａと、その光源１３ａからの読取り用の照明光を原稿台１２上の所定の読取り位置に集光するミラー１３ｂと、原稿からの反射光のみを通過させるスリット１３ｃと、スリット１３ｃを通過した光の光路を９０°変更するミラー１３ｄとを備えて構成される。ミラーユニット１４は、光源ユニット１３からの光の光路を１８０°変更する一対のミラー１４ａ、１４ｂを備えて構成される。
【００３６】
光源ユニット１３の速度をＶとすると、ミラーユニット１４はＶ／２の速度で移動する。また、光源ユニット１３は、参照符１３ｅ、１３ｆ等で示すように矢印１５の方向（副走査方向）に変位することによって、原稿画像を読取ることができる。なお、ＣＣＤ読取りユニット１１は、図示を省略するが、少なくともＣＣＤイメージセンサ１１ｂ、結像レンズ１１ａおよび光源１３ａを一つのユニットに構成した縮小読取光学系または等倍読取光学系のユニットを速度Ｖで走査させるようにした構造であってもよい。
【００３７】
また、上述の光学系２には、上記原稿台１２から副走査方向に離間して、別の原稿台１６が設けられている。光源ユニット１３は、この原稿台１６の下方まで変位して静止した状態で、原稿台１６上を搬送されてゆく原稿の一方の面（以下、こちらを表面とする）の画像を読取ることができる。その搬送された原稿の出口付近には、排紙トレイ１７が設けられている。
【００３８】
一方、ＡＤＦ３は、第２の読取り手段であるＣＩＳ（Ｃｏｎｔａｃｔ  Ｉｍａｇｅ  Ｓｅｎｓｅｒ）２１を備えて構成され、原稿載置トレイ（シート材収容手段）２２上に積層状態で載置された原稿を１枚ずつ搬送してゆき、ＣＩＳ２１で、その原稿の他方の面（以下、こちらを裏面とする）の画像を読取る。
【００３９】
このため、ＡＤＦ３は、各種のローラＲ１〜Ｒ１０、検出器Ｓ１〜Ｓ７、湾曲搬送経路２３およびレジスト・斜行補正領域２４をさらに備えて構成されている。そして、ＣＩＳ２１は、たとえばアレイ状のイメージセンサと、アレイ状の導光手段（セルフォックレンズ等のレンズアレイ）と、光源（ＬＥＤアレイ光源または蛍光灯）と、等を含む密着イメージセンサである。
【００４０】
原稿載置トレイ２２は、アクチュエータＳ１ａおよびセンサ本体Ｓ１ｂから成る光学式の原稿検出器Ｓ１によって原稿載置トレイ２２に原稿がセットされたことを検知すると、所定のタイミングで該原稿載置トレイ２２の上昇が開始され、積載された原稿束の最上面原稿が、アーム２５によって昇降変位自在に支持されている呼込ローラ（ピックアップ手段）Ｒ１を押し上げ、そのことが呼込ローラ位置検出器Ｓ２によって検知されると、原稿載置トレイ２２の上昇動作が一旦停止し、この状態で待機状態となる。
【００４１】
なお、原稿載置トレイ２２に原稿がセットされて上述のように該原稿載置トレイ２２が上昇して待機状態となった後、読取りを開始する信号が入力されずに所定時間放置された場合は、そのままの状態で待機状態を継続させても良いが、好ましくは呼込みローラＲ１の変形を防止するために、所定のレベルまで該原稿載置トレイ２２を降下させて待機させる。
【００４２】
そして、原稿の給紙開始信号が入力されると、呼込ローラＲ１が回転駆動して、上記原稿束の最上面原稿から順次取込まれる。呼込ローラＲ１の下流側には、シート材分離手段である搬送ローラ（回転ローラ）Ｒ２、逆転ベルトローラ（ベルト部材）Ｒ２ａが配置されている。呼込ローラＲ１はアーム２５に支持され、アーム２５は搬送ローラＲ２の回転軸に回動可能に支持されている。
【００４３】
そして、自重または付勢力により呼込ローラＲ１が原稿に接触する。また、呼込ローラＲ１は後述のストッパにより必要以上に下降しないようになっている。後述するように、アーム２５には凸部が形成されており、光センサ等で構成される呼込ローラ位置検出器Ｓ２によって、呼込ローラＲ１の高さをアーム２５の揺動角から検出することができる。
【００４４】
本実施の形態では、アーム２５に凸部を設け直接に呼込ローラ位置検出器Ｓ２で検出しているが、呼込ローラ位置検出器Ｓ２をアーム２５から離れた位置に設けることもでき、その場合には、リンク機構等の連結手段を用いてアーム２５の高さを検出できるようにすればよい。なお、上記呼込ローラＲ１、搬送ローラＲ２及び逆転ベルトローラＲ２ａにて、本実施の形態にかかるシート材給送装置５１を構成している。また、上記シート材給送装置５１は、原稿載置トレイ２２を備えていてもよい。
【００４５】
搬送ローラＲ２には、トルクリミッタを備えた逆転ベルトローラＲ２ａが対向して設けられ、原稿が重送されることなく、１枚の原稿が確実に分離されて搬送される。したがって、呼込ローラＲ１によって複数枚の原稿が取込まれても、当該搬送ローラＲ２と逆転ベルトローラＲ２ａによって、呼込ローラＲ１に密着していた最上面の原稿のみが繰り出され、湾曲搬送経路２３へと搬送される。なお、上記シート材給送装置５１の各構成（上記呼込ローラＲ１、搬送ローラＲ２及び逆転ベルトローラＲ２ａ）の詳細については後述する。
【００４６】
原稿（シート材）が搬送ローラＲ２と逆転ベルトローラＲ２ａとで確実に分離供給されたか否かは、アクチュエータＳ３ａおよびセンサ本体Ｓ３ｂから成る給紙検出器Ｓ３によって検知される。そして、所定のタイミングで、下流側の湾曲搬送経路２３へと導かれる。
【００４７】
湾曲搬送経路２３では、原稿は搬送ローラＲ３〜Ｒ７によって搬送され、無理なく導かれてきているか否かが、アクチュエータＳ４ａおよびセンサ本体Ｓ４ｂから成り、湾曲搬送経路２３からの原稿の通過を検知する給紙検出器Ｓ４によって検知される。湾曲搬送経路２３は、読取り可能な原稿の内、最も厚い、すなわち最も腰のある原稿を円滑に搬送できる曲率が設定されており、あらゆる種類の原稿の安定供給を保証できるように設計されている。
【００４８】
そして、この湾曲搬送経路２３と搬送ローラＲ２及び逆転ベルトローラＲ２ａを覆うように、外装カバー４１が装置本体に対して開閉自在に設けられている。なお、外装カバー４１の開放状態を破線で示す。また、この外装カバー４１の開閉動作に連動して、逆転ベルトローラＲ２ａの支持機構を連動動作させるための連結レバー４２が設けられている。なお、連結レバー４２は、図示は省略するが、外装カバー４１に連動させることなく、装置本体の外部から操作できるようにしてもよい。
【００４９】
湾曲搬送経路２３を搬送された原稿は、レジスト・斜行補正領域２４に搬送され、その先端が該レジスト・斜行補正領域２４の出口付近にあるレジストローラＲ８、Ｒ９の手前に配置された給紙検出器Ｓ５によって検知されると、前記レジストローラＲ８、Ｒ９を停止させた状態で、所定時間、上流側からの搬送力により衝突させ、レジストおよび斜行の補正が行われる。給紙検出器Ｓ５は、アクチュエータＳ５ａおよびセンサ本体Ｓ５ｂから構成されている。
【００５０】
上記レジスト・斜行補正領域２４は、湾曲搬送経路２３の最終（搬送方向の最下流側）の搬送ローラＲ６、Ｒ７から前記レジストローラＲ８、Ｒ９までの該レジスト・斜行補正領域２４において、上述のようなレジストおよび斜行の補正を行えるように、これらのローラＲ６、Ｒ７とローラＲ８、Ｒ９との間で原稿の状態がほぼ平面状態となり、搬送経路のガイド面から変形を強いられることのないように考慮されている。
【００５１】
なお、ローラＲ６、Ｒ７とローラＲ８、Ｒ９との間の距離は、上記シート材給送装置５１が湾曲搬送経路２３に搬送することが可能な原稿の中で、最も小さな原稿の搬送方向の長さよりも大きくなっていればよい。そして、湾曲搬送経路２３に残っている原稿の後端部分が少ない程、原稿のレジストおよび斜行の補正がスムーズに行えることとなる。
【００５２】
次に、レジストおよび斜行の補正が行われた原稿は、所定のタイミングで搬送が再開され、原稿の表面を露光走査するための第１の読取り位置（走行原稿読み取り時位置）Ｐｏｓ１へと導かれる。さらに、上記原稿は、引続き原稿の裏面を露光走査するための第２の読取り位置Ｐｏｓ２へ搬送される。そして、上記原稿は、第１の読取り位置Ｐｏｓ１でＣＣＤ読取りユニット１１によって当該原稿の一方の面が読取られ、第２の読取り位置Ｐｏｓ２でＣＩＳ２１によって当該原稿の他方の面が読取られる。
【００５３】
そして、表面のみまたは表裏両面の画像を読取られた原稿は、排出ローラＲ１０、Ｒ１１（排出ローラＲ１１は光学系２側に設けられている）によって原稿排出点よりも低い位置にある当該画像読取装置１の側面に支持された排紙トレイ１７上へと排出される。この原稿の排出動作の確認は、アクチュエータＳ６ａおよびセンサ本体Ｓ６ｂから成る排紙検出器Ｓ６によって検知される。以上の動作が、原稿載置トレイ２２上にセットされた原稿がなくなるまで繰返され、読取りが完了した原稿はすべて排紙トレイ１７上に順次排出される。
【００５４】
また、原稿載置トレイ２２は、原稿が順次給紙される毎に原稿束の高さが下がってくるので、ある程度下がれば、呼込ローラＲ１の位置が下がった分だけ上昇して、原稿束の最上面と該呼込ローラＲ１とが所定の状態を保てるように監視されている。このため、原稿載置トレイ２２は、支点２２ａを中心に揺動可能になっており、その支点２２ａとは反対側の端部に設けられたリブ２２ｂが、昇降プレート３１によって押し上げられることで昇降可能となっている。
【００５５】
昇降プレート３１は、上記リブ２２ｂとは反対側の端部がプレート支持軸３２に固着されており、このプレート支持軸３２が、伝達部材（歯車）列から成る昇降機構部３４を介して昇降モータ６１によって回転駆動される。
【００５６】
この原稿載置トレイ２２の待機時の位置は、呼込ローラ位置検出器Ｓ２の動作信号を基準に、後述の制御部が昇降機構部３４の昇降モータ６１を動作制御することで維持される。この位置はセットされる頻度の高い原稿の枚数に合わせて、後述の操作部から任意に設定できるようになっており、サービスマンや使用者が予め設定を行う。
【００５７】
さらに、原稿載置トレイ２２は、上述したように安定した原稿の搬送を保証できるように設定された湾曲搬送経路２３によって必然的に形成される該湾曲搬送経路２３の入口側と出口側との高さの範囲内で上下できるようになっており、この上下方向に変位することによって、大量の原稿の載置が可能になるとともに、当該原稿載置トレイ２２上に載置された大量の原稿の最上面を湾曲搬送経路２３の入口へと給紙可能な状態まで上昇させ、順次給紙するようになっている。
【００５８】
また、原稿載置トレイ２２には、原稿の側部を揃えるための原稿規制板３０が設けられており、この原稿規制板３０の位置は、原稿サイズ検出器Ｓ０によって検出され、画像形成時の用紙選択等に使用されるとともに、後述するように本発明による該原稿載置トレイ２２の高さ制御にも使用される。
【００５９】
一方、原稿台１２上の原稿を読取る際には、光源ユニット１３は、図２中の位置Ｐｏｓ３から位置Ｐｏｓ４の方向に、図２に図示しない原稿サイズ検出器Ｓ９等で検出されたサイズに応じて所定距離だけ移動するようになっている。これに対して、ＡＤＦ３によって搬送される原稿を読取る際には、上記光源ユニット１３は、位置Ｐｏｓ１に停止して読取を行う。また、光源ユニット１３は、位置Ｐｏｓ３、Ｐｏｓ４または位置Ｐｏｓ３と位置Ｐｏｓ１との中間の位置のいずれかを、当該光源ユニット１３の位置検出器の検出結果を基準に、ホームポジションとし、使用されていない待機中には、このホームポジションで停止している。
【００６０】
この原稿台１２上の原稿を読取るために、ＡＤＦ３は、画像読取装置１の奥側（紙面奥側）にて、光学系２との間に設けられたヒンジ（図示せず）を回動支点として、上方に回動する。これにより、該画像読取装置１では、紙面手前側から、原稿台１２の上面を開放でき、搬送できないブック物の原稿等を原稿台１２にセットできる。そして、ＡＤＦ３側には、原稿台１２に対向して原稿マット３５が設けられている。
【００６１】
上述のように構成される画像読取装置１は、静止読取モード、走行読取モード、両面読取モードの３つのモードで原稿の読取りが可能である。上記静止読取モードは、例えば、本等の上記原稿台１２上に載置された原稿を、上記光源ユニット１３およびミラーユニット１４を移動させつつ、ＣＣＤ読取りユニット１１によって読取るモードである。
【００６２】
また、走行読取モードおよび両面読取モードは、共に前記原稿載置トレイ２２にセットされた原稿を、ＡＤＦ３で自動的に１枚ずつ給送しながら読取るモードであり、走行読取モードでは前記ＣＣＤ読取りユニット１１によって、両面読取モードでは、前記ＣＣＤ読取りユニット１１およびＣＩＳ２１を共に使用して読取りを行う。前記原稿載置トレイ２２にセット可能な原稿の最大枚数は、たとえば２００枚である。
【００６３】
ここで、本実施の形態におけるシート材給送装置５１の構成について説明する。当該シート材給送装置５１は、搬送ローラ（回転ローラ）Ｒ２及び逆転ローラ（ベルト部材）Ｒ２ａを備えている。そして、上記搬送ローラＲ２と逆転ベルトローラＲ２ａとでシート材分離手段が構成されている。なお、上記シート材給送装置５１には、さらに上記呼込ローラＲ１と原稿載置トレイ２２とが含まれていてもよい。
【００６４】
上記呼込みローラＲ１は、原稿載置トレイ２２に載置（収容）されている複数のシート材を上記搬送ローラＲ２と逆転ベルトローラＲ２ａとの間に搬送するものである。具体的には、上記呼込みローラＲ１は、上記原稿載置トレイ２２に載置（収容）されているシート材と接しており、当該呼込みローラＲ１が上記シート材の搬送方向に回転することにより、呼込みローラＲ１と接しているシート材が搬送される。そして、上記呼込みローラＲ１と逆転ベルトローラＲ２ａとを組み合わせることで、シート材の重送が低減し、逆転ベルトローラＲ２ａによってシート材が擦られることが少なくなり、シート材の汚れや画像の尾引き（引き伸ばし）の発生を抑制することができ、シート材の品質を良好に保つことができる。
【００６５】
上記搬送ローラＲ２は、上記逆転ベルトローラＲ２ａと圧接している。そして、上記搬送ローラＲ２は、逆転ベルトローラＲ２ａと共に、呼込みローラＲ１によって搬送されてきたシート材を１枚ずつに分離する。上記搬送ローラＲ２の硬度は、逆転ベルトローラＲ２ａよりも高い。
【００６６】
上記逆転ベルトローラＲ２ａは、上記搬送ローラＲ２と圧接している。そして、上記逆転ベルトローラＲ２ａは、駆動ローラと従動ローラと、当該駆動ローラと従動ローラとによって帳架された無端ベルト状のベルト部材とから構成されている。以下、上記逆転ベルトローラＲ２ａについて詳細に説明する。
【００６７】
図１（ａ）は、逆転ベルトローラＲ２ａの概略の構成を示す断面図である。また、図１（ｂ）は、逆転ベルトローラＲ２ａの概略の構成を示す斜視図である。逆転ベルトローラＲ２ａは、図１（ａ）（ｂ）に示すように、トルクリミッタ７２を介して駆動源７３に接続された駆動ローラ７０と回転自在な従動ローラ７１とにベルト部材６６が帳架されて構成されている。そして、上記逆転ベルトローラＲ２ａは、駆動ローラ７０の回転によりベルト部材６６が呼込みローラＲ１とは逆方向に回転している。ここで、ベルト部材６６について説明する。
【００６８】
上記ベルト部材６６は、スポンジ部材ＳＰと、当該スポンジ部材ＳＰの外周表面に設けられた平滑部材とを含んで構成されている。具体的には、上記ベルト部材６６は、当該ベルト部材６６に用いられるスポンジ部材ＳＰの外周に、表面が光沢を有する程度に平滑化されたコーティング層（平滑部材）Ｃｔを設けてなっている。このスポンジ部材ＳＰの外周表面に形成されるコーティング層Ｃｔの材質としては、ウレタンゴムが好ましく、特にディッピング法によってウレタンゴムからなるコーティング層Ｃｔを上記スポンジ部材ＳＰの外周に形成することがより好ましい。
【００６９】
このディッピング法は、ウレタン液中に、長尺の逆転ベルトローラＲ２ａを構成しているスポンジ部材ＳＰを浸漬させるものであり、浸漬することで、スポンジ部材ＳＰの表面にコーティング層Ｃｔを形成する。そして、上記スポンジ部材ＳＰの表面にコーティング層Ｃｔを形成した後に、端部の使用できない部分を取り除いて、複数個に切り分けることで上記コーティング層Ｃｔが形成されたベルト部材６６を形成する。このディッピング法を用いてベルト部材６６を形成することにより、スプレー工程よりも簡素な作業工程で、歩留りよく多数の逆転ベルトローラＲ２ａのベルト部材６６を安価に製造することができる。また、スプレー工程のようにウレタン液を母材（スポンジ部材ＳＰ）に吹き付けてコーティング層Ｃｔを形成する場合よりも、表面の平滑度の高いコーティング層Ｃｔを得ることができる。
【００７０】
そして、ディッピング法によって上記コーティング層Ｃｔを形成することにより、例えば、スプレー工程と比べて工程を簡単にすることができるため、コストを下げることができる。
【００７１】
コーティング層Ｃｔの厚さは、例えば、０．１５ｍｍ程度に設定するのが好ましい。また、スポンジ部材ＳＰは硬度５〜３０°（なお、硬度はアスカーＣ硬度を示している、以下についても同じである）であればよく、硬度が低いと、コーティング液（ウレタン液）がスポンジ部材ＳＰの内部に浸透するため、コーティング層Ｃｔを形成しにくくなる。なお、一般的なディッピング法を用いる場合には、用いるスポンジ部材ＳＰの硬度としては２０〜３０の範囲内がより好ましいが、コーティング技術によってはスポンジ部材ＳＰの硬度を上記範囲内よりも小さくしてもよい。
【００７２】
そして、上記スポンジ部材ＳＰの材質は、アスカーＣ３０°の硬度のアクリルニトリルブタジエンゴム（ＮＢＲ）の発泡ゴムが好適であるが、その他に、メラミンスポンジ、ＣＲゴムスポンジ、シリコンスポンジやウレタンスポンジ等を用いることもできる。また、シリコン材を使用することもできる。
【００７３】
また、コーティング層Ｃｔは、図３（ａ）に示すように、スポンジ部材ＳＰの外周表面のみに形成してもよく、また、図３（ｂ）に示すように、スポンジ部材の両表面に形成してもよい。なお、図３（ａ）、（ｂ）は、ベルト部材６６の断面を示す断面図である。
【００７４】
本実施の形態では、コーティング層Ｃｔの表面は、光沢を有する程度に充分に平滑化されている。これにより、シート材に対するベルト部材６６の接触状態を均一化することができ、また、シート材とベルト部材６６との接触面積を大きくすることができるので、部分的な接触圧力を小さく、かつ、均一に分散させることができる。従って、原稿画像が形成されたシート材を搬送する場合、画像を形成している鉛筆粉等が、逆転ベルトローラＲ２ａによって擦り取られにくくなり、画像の尾引き現象が発生しにくくなる。
【００７５】
そして、上記コーティング層Ｃｔの表面の平均粗さＲａ（μｍ）としては、０．２９以下であることがより好ましい。これについて説明する。
【００７６】
図４は、シート材をローラ（逆転ローラ）で押圧した場合に、ローラ表面の平滑度が、シート材の引き抜き力（摩擦力）にどのように影響するかを測定するための測定機６１の構成図である。この測定機６１は、略水平状態に配置される基台６２に立設した支持部材６３に回動自在に支持された平行棒６４を具備し、その平行棒６４の一端にカウンターウエイト６５を取り付け、その他端には、測定対象となるベルト部材６６が固定状態に支持されると共に、そのベルト部材６６に対して押圧力を付与するためのウエイト６７を交換自在に搭載し、基台６２上に載置したシート材をベルト部材６６で押圧し、そのシート材をテンションゲージ６８で引っ張ることにより、そのときの張力を測定するように構成される。
【００７７】
このような測定機６１によって、従来の逆転ローラと本発明の逆転ローラ用のベルトとにより、シート材の引き抜き力を測定し、表１に示すような結果が得られた。ここで、比較例である従来の逆転ローラとしては、硬度３３°のＥＰＤＭ象皮研磨ローラ（形状；ローラ）を用いている。また、実施例である本発明の逆転ローラ用のベルトとしては、硬度３０のアクリルニトリルブタジエンゴム（ＮＢＲ）の発泡ゴムをスポンジ部材として用いて、そのスポンジ部材の外周表面をウレタンゴムからなるコーティング層（平滑部材）を形成したもの（コーティング層の表面の粗さが異なるもの）を用いている。
【００７８】
【表１】
2006168859.tif 000003
【００７９】
従来品のＥＰＤＭ象皮研磨（硬度３３）のローラでは、ウエイト６７の重量が２００ｇｆに設定されている場合には１８０〜１９０ｇｆの引き抜き力を要し、ウエイト６７の重量が５５０ｇｆの場合には、５００〜５１０ｇｆの引き抜き力を要した。
【００８０】
これに対して、本発明である、発泡ＮＢＲ（硬度３０）＋ウレタンコート（表面粗い）の場合、ウエイト６７の重量を２００ｇｆに設定した場合には１６０〜１７０ｇｆの引き抜き力を要し、５５０ｇｆの場合には４２０〜４３０ｇｆの引き抜き力を要した。
【００８１】
さらに、本発明の発泡ＮＢＲ（硬度３０）＋ウレタンコート（表面光沢）の場合、ウエイト６７の重量を２００ｇｆに設定した場合には１００〜１１０ｇｆの引き抜き力を要し、５５０ｇｆの場合には２２０〜２３０ｇｆの引き抜き力を要した。
【００８２】
実際の使用時には、シート材に対して５５０ｇｆ程度の押圧力が作用するが、本発明の場合のように、スポンジ部材の外周表面にコーティング層Ｃｔ（平滑部材）を形成したベルト部材６６を用いることにより、従来よりも、少ない力でシート材を引き抜くことができる。そして、上記コーティング層Ｃｔの表面をさらに光沢性を有する程に平滑化することで、従来品の約半分程度の引き抜き力でシート材を引き抜くことができる。従って、本発明の発泡ＮＢＲ（硬度３０）＋ウレタンコート（表面光沢）を逆転ベルトローラＲ２ａのベルト部材６６として用いた場合、シート材に作用する摩擦力を一層低減させることができるため、シート面に形成された例えば鉛筆書きの画像や定着性が低い画像が尾引き現象を起こして、シート材が汚れたり画像が不鮮明になったりして品質が低下してしまうのを防止でき、シート材に対して良好な処理を行うことができる。
【００８３】
ここで、本発明にかかるベルト部材６６のコーティング層Ｃｔの表面粗さについて詳細に説明する。上記コーティング層Ｃｔの表面粗さを調べるために、接触型の表面粗さ計で、従来品および本発明の逆転ベルトローラＲ２ａの表面粗さをそれぞれ測定し、原稿の鉛筆画像の逆転ベルトローラＲ２ａの擦れによる汚れの程度を評価した。その結果を表２に示す。
【００８４】
【表２】
2006168859.tif 000004
【００８５】
なお、表２では、汚れに対する評価が×の場合は、使用できない程度に汚れが目立つ状態、△の場合は、使用できる程度に汚れが少ない状態、◎〜○の場合は、汚れが目立たず好ましい状態、をそれぞれ表している。つまり、好ましい範囲は◎〜○であり、△まで使用できる。また、粗さが記載している範囲を超えて小さい場合、すなわち、ウレタンコートの表面が、表中の「光沢〜やや粗」の範囲よりも小さい場合には、表面の滑らかさが更にアップし汚れに対しては問題ないが、シート材とベルト部材６６とが擦れることにより音（鳴き）が発生し不快な騒音の原因となる場合がある。
【００８６】
表２の結果より、従来品のＥＰＤＭ象皮研磨の逆転ローラベルトについての擦れによる評価は、×であった。
【００８７】
一方、ＮＢＲ発泡（硬度３０）＋ウレタンコート（光沢性があるが表面が若干粗い）の逆転ローラベルトについての擦れによる評価は、△であり使用できる程度であった。これに対して、本発明のＮＢＲ発泡ゴム（硬度３０）＋ウレタンコート（表面光沢）の逆転ベルトローラＲ２ａベルトは、良好な評価（◎〜○）を得ることができた。なお、上記表２中の「ＮＢＲ発泡ゴム＋ウレタンコート（表面光沢〜やや粗）」と表１中の「ＮＢＲ発泡ゴム＋ウレタンコート（表面光沢）」とは同じものである。
【００８８】
表２の結果から、コーティング層Ｃｔの表面粗さにおける平均粗さＲａ（μｍ）は、少なくとも０．２９μｍ以下であることが好ましく、さらに、下記（１）式の範囲内であることがより好ましい。
【００８９】
０．０９≦Ｒａ≦０．１１・・・・・・・・・・・（１）式
また、その他の最大高さＲｙ（μｍ）、十点平均粗さＲｚ（μｍ）、最大粗さＲｍａｘ（μｍ）については、それぞれ、１．２８μｍ以下、０．９３μｍ以下、９６．５９μｍ以下であることがより好ましく、特に下記の（２）式〜（４）式に示す範囲内であることが特に好ましいこと。
【００９０】
０．４６≦Ｒａ≦０．６０・・・・・・・・・・・（２）式
０．３９≦Ｒｚ≦０．８０・・・・・・・・・・・（３）式
１３．２０≦Ｒｍａｘ≦３５．３６・・・・・・・（４）式
そして、コーティング層Ｃｔの表面を上記式（１）〜（４）の範囲内とすることにより、当該コーティング層Ｃｔの表面を、光沢を有する程度に充分に平滑化することができる。従って、シート面に形成された例えば鉛筆書きの画像や定着性が低い画像の尾引き（引き伸ばし）現象が発生したり、シートが汚れたり画像が不鮮明になったりして品質が低下するのを防止でき、シートに対して良好な処理を行うことができる。
【００９１】
以上の結果については、平均粗さＲａ、最大高さＲｙ、十点平均粗さＲｚの値が、大きく影響しており、表面が平滑である程、シート材に対する接触状態が均一で接触面積が大きくなり、部分的な接触圧力が小さく均一に分散され、画像を形成する鉛筆粉が逆転ベルトローラＲ２ａによって擦り取られにくくなる。
【００９２】
以上のように、本実施の形態にかかるシート材給送装置５１は、複数のシート材を積み重ねた状態で収容する原稿載置トレイ２２から搬送されるシート材を１枚毎に分離するシート材分離手段を備え、上記シート材分離手段は、シート材の搬送方向に回転する搬送ローラＲ２と、当該搬送ローラＲ２と圧接しているとともに上記シート材の搬送方向の逆方向に回転する無端ベルト状の逆転ベルトローラＲ２ａとを有しており、上記逆転ベルトローラＲ２ａは、スポンジ部材ＳＰと当該スポンジ部材ＳＰの外周に設けられた表面が平滑化されたコーティング層Ｃｔとを含むものである構成である。
【００９３】
上記の構成によれば、複数のシート材が収容されている原稿載置トレイ２２から搬送されるシート材をシート材分離手段にて、１枚毎に分離して搬送している。
【００９４】
具体的には、上記シート材分離手段を構成している上記搬送ローラＲ２は、シート材の搬送方向に回転しており、当該搬送ローラＲ２と逆転ベルトローラＲ２ａとの間に搬送される当該シート材を搬送方向へ搬送するものである。一方、上記シート材分離手段を構成している逆転ベルトローラＲ２ａは、当該搬送ローラＲ２と逆転ベルトローラＲ２ａとが圧接されている間に搬送される当該シート材が複数枚の場合に、確実に１枚のみが、当該搬送ローラＲ２と逆転ベルトローラＲ２ａとの間を通過できるように、シート材の搬送方向の逆方向に回転している。より具体的には、上記逆転ベルトローラＲ２ａは、トルクリミッタ７２を介して接続された駆動源７３によって、通常はシート材の搬送方向の逆方向に回転している。そして、上記搬送ローラＲ２と逆転ベルトローラＲ２ａとの間の圧接された部分（以下、ニップ部と称する）にシート材が噛み込まれると、逆転ベルトローラＲ２ａにかかる負荷トルクが変化してトルクリミッタ７２によって駆動源７３からの駆動力の伝達が切られることになる。従って、上記ニップ部にシート材が噛み込まれると、上記逆転ベルトローラＲ２ａは、シート材の搬送方向と同じ方向に従動回転されて、上記シートが上記ニップ部を搬送される。また、上記ニップ部の間にシート材が噛み込む前は、上記逆転ベルトローラＲ２ａは、シート材の搬送方向とは逆方向に回転しているため、例えば、複数枚のシートが上記ニップ部に供給されそうになると、上記逆転ベルトローラＲ２ａの回転によって、当該逆転ベルトローラＲ２ａと接触するシート材は上記搬送方向の逆方向に押し戻される。これにより、搬送ローラＲ２と接触するシート材のみが、上記ニップ部に供給されることになり、この結果、シート材を１枚だけ搬送することができる。
【００９５】
そして、上記の構成によれば、上記逆転ベルトローラＲ２ａは、スポンジ部材ＳＰと当該スポンジ部材ＳＰの外周に設けられた表面が平滑化されたコーティング層Ｃｔとを含んでいる。これにより、逆転ベルトローラＲ２ａの表面が平滑であるため、シート材が上記ニップ部を通過する際に、当該シート材の上記逆転ベルトローラＲ２ａと接触する面が当該逆転ベルトローラＲ２ａと擦れた場合でも、上記接触している面の品質が低下することを防止できる。また、上記逆転ベルトローラＲ２ａは、スポンジ部材ＳＰの表面（外周）にコーティング層Ｃｔが形成されているので、例えば、上記ニップ部をシート材が搬送される場合に、上記スポンジ部材ＳＰによって、当該ニップ部においてシート材にかかる接触圧力を小さく、かつ、均一にすることができる。従って、シート材が上記ニップ部を通過するときに、当該シート材が過度に擦られることを防止できる。
【００９６】
これにより、例えば、上記シート材の逆転ベルトローラＲ２ａと接触する面に、例えば、鉛筆書きやインクによって形成された当該シート材に定着性が悪い画像が形成されている場合であっても、上記画像が逆転ベルトローラＲ２ａと擦れることによってシート材の品質およびシート材に形成された画像の品質が低下することを防止できる。
【００９７】
また、本実施の形態に係るシート材給送装置５１は、上記コーティング層Ｃｔの表面の平均粗さＲａ（μｍ）が、０．２９以下である構成がより好ましい。
【００９８】
上記コーティング層Ｃｔの表面の平均粗さＲａ（μｍ）が、０．２９よりも大きい場合には、シート材に形成された画像が逆転ベルトローラＲ２ａと擦れることによる尾引き現象が発生する場合がある。従って、上記の構成とすることで、上記シート材に形成された画像が逆転ベルトローラＲ２ａと擦れることによるシート材の品質が低下することをより一層防止できる。
【００９９】
さらに、本実施の形態に係るシート材給送装置５１は、上記コーティング層Ｃｔの表面の平均粗さＲａ（μｍ）が、０．０９≦Ｒａ≦０．１１の範囲内である構成がより好ましい。
【０１００】
上記コーティング層Ｃｔの表面の平均粗さＲａ（μｍ）を、０．１１以下とすることにより、シート材に形成された画像が逆転ベルトローラＲ２ａと擦れることによる尾引き現象の発生をより一層防止することができる。また、平均粗さＲａ（μｍ）を０．０９以上とすることにより、シート材と逆転ベルトローラＲ２ａとが擦れることにより発生する音（鳴き）を防止することができる。
【０１０１】
さらに、本実施の形態に係るシート材給送装置５１は、上記コーティング層Ｃｔは、ウレタンゴムから構成されている構成がより好ましい。
【０１０２】
上記の構成によれば、コーティング層Ｃｔがウレタンゴムから構成されている。ウレタンゴムは、機械的強度に優れ、耐磨耗性に優れているので、上記搬送ローラＲ２に対して接触しながら、回転する逆転ベルトローラＲ２ａのコーティング層Ｃｔとして好適に用いることができる。
【０１０３】
さらに、本発明に係るシート材給送装置５１は、上記コーティング層Ｃｔは、ディッピング法によって上記スポンジ部材ＳＰの表面に形成されたウレタンゴムである構成がより好ましい。
【０１０４】
上記の構成によれば、ディッピング法によって上記スポンジ部材ＳＰの表面にウレタンゴム層（コーティング層Ｃｔ）を形成している。ディッピング法は、例えば、スプレーコーティングによって上記ウレタンゴム層を形成する場合と比べて、簡単であり、かつ、平滑度の高いウレタンゴム層を形成することができる。つまり、上記の構成とすることで、より平滑度の高いコーティング層Ｃｔを得ることができる。
【０１０５】
本実施の形態に係る画像読取装置１は、上記シート材給送装置５１と、当該シート材給送装置５１によって給送された上記シート材に形成されている画像を読取る光学系２とを備える構成である。
【０１０６】
上記の構成によれば、上記のシート材給送装置５１を備えているために、シート材の品質およびシート材に形成された画像の品質の低下を防止できるので、従来よりも、画像の状態がよい状態で当該画像を読取ることができる。これにより、従来よりも良好な読取画像を得ることができる。
【０１０７】
本実施の形態に係るデジタル複合機１００は、上記画像読取装置１と、上記画像読取装置１によって読取られた画像データに基づいて画像を形成する画像形成部２１０とを備える構成である。
【０１０８】
上記の構成のよれば、上記画像読取装置１を備えているので、従来よりも、より良好な読取画像を得ることができるため、この読取画像に基づいて画像形成を行うことにより、従来よりも、原稿の画像により類似した画像を形成することができる。
【０１０９】
ここで、上記シート材給送装置５１を備えたデジタル複合機１００について説明する。
【０１１０】
図５は、本実施の他の形態にかかるデジタル複合機（画像形成装置）１００の概略構成を示す断面図である。このデジタル複合機１００では、上記シート材給送装置５１を備えた読取り部（画像読取装置）１１０にて読取られた原稿画像は、画像データとして図示しない画像データ入力部へと送られる。そして、上記デジタル複合機１００は、画像データに対して所定の画像処理を施した後、当該画像データを画像処理部のメモリに一旦記憶し、出力指示に応じてメモリ内の画像を読出して画像形成部（本発明の画像形成手段）２１０の光書込み装置であるレーザ書込みユニット２２７に転送する。なお、図６に示すように、読取り部（画像読取装置）１１０の上部には、ＡＤＦ３が搭載され、また、その操作側には、操作パネル１１２が設けられている。
【０１１１】
レーザ書込みユニット２２７は、メモリから読出した画像データ、または外部の装置から転送されてきた画像データに応じてレーザ光を出射する半導体レーザ光源、レーザ光を等角速度偏向するポリゴンミラー、等角速度で偏向されたレーザ光が感光体ドラム２２２上において等角速度で偏向されるように補正するｆ−θレンズなどをから構成されている。なお、本実施の形態では、書込み装置としてレーザ書込みユニットを用いているが、ＬＥＤやＥＬ等の発光素子アレイを用いた固体走査型の光書込みヘッドユニットを用いてもよい。
【０１１２】
画像形成部２１０は、上記レーザ書込みユニット２２７の他に、感光体ドラム２２２の周囲に、感光体ドラム２２２を所定の電位に帯電させる帯電器２２３、感光体ドラム２２２上に形成された静電潜像にトナーを供給して顕像化する現像器２２４、感光体ドラム２２２表面に形成されたトナー像をシートに転写する転写器（転写チャージャ等）２２５、余分なトナーを回収するクリーニング器２２６、除電器（除電チャージャ等）２２９を備えている。そして、この画像形成部２１０で画像が転写されたシートは、その後、定着ユニット２１７に送られ、画像がシートに定着される。
【０１１３】
上記画像形成部２１０の排出側には、上記定着ユニット２１７の他に、シートの裏面に再度画像を形成するためにシートの前後を反転させるスイッチバック路２２１、画像が形成されたシートに対してステープル処理等を行うとともに昇降トレイ２６１を有する後処理装置２６０を備えている。定着ユニット２１７にてトナー像が定着されたシートは、必要に応じてスイッチバック路２２１を経て排紙ローラ２１９にて後処理装置２６０へと導かれ、ここで所定の後処理が施された後、排出される。
【０１１４】
給紙部は、上記画像形成部２１０の下方に配設されており、本体に備えられた手差トレイ２５４、両面ユニット２５５、用紙トレイ２５１と多段給紙部２７０に備えられた給紙トレイ２５２、２５３で構成されている。また、これらのトレイ２５１、２５２、２５３、２５４から給紙した用紙を画像形成部２１０における転写器が配置された転写位置へと搬送する搬送手段２５０を備えている。
【０１１５】
両面ユニット２５５は、シートを反転させるスイッチバック路２２１に通じており、シートの両面に画像形成を行うときに用いられる。なお、両面ユニット２５５は通常の用紙カセットと交換可能な構成となっており、両面ユニット２５５を通常の用紙カセットに置き換えた構成とすることも可能となっている。
【０１１６】
このように構成されるデジタル複合機１００における搬送手段２５０、すなわち、２５０ａ、２５０ｂ、２５０ｃ、２５０ｄには、図１に示したようなシート材給送装置５１を設けることができる。
【０１１７】
なお、本発明にかかる画像読取装置は、図２に示す構成に限定されることなく、少なくとも、互いに当接し合う搬送ローラと上記ベルト部材６６を備えた逆転ローラとを含むシート材分離手段を備えたシート材給送装置を備えていればよい。
【０１１８】
また、シート材給送装置は、複数のシート材を積み重ねた状態で収容するシート材収容手段と、前記シート材に接触し前記シート材を搬送路に向かって供給搬送するシート材ピックアップ手段と、前記シート材ピックアップ手段の下流側に位置し互いに当接し合う搬送ローラと逆転ローラ等により構成されるシート材分離手段とを備えていることがより好ましい。
【０１１９】
また、本発明にかかる画像形成装置は、図５および図６に示す構成に限定されることなく、少なくとも上記シート材給送装置を備えていればよい。また、上記画像形成装置は、上記シート材給送装置を、例えば、画像読取装置の一部として備えていても良く、また、例えば、給紙トレイから供給されるシート材を画像形成部に導くために上記シート材給送装置を設けていても良い。
【０１２０】
また、本実施の形態にかかるシート材給送装置は、複数のシート材を積み重ねた状態で収容するシート材収容手段と、上記シート材に接触し前記シート材を搬送路に向かって供給搬送するシート材ピックアップ手段と、上記シート材ピックアップ手段の下流側に位置し搬送ローラと無端状の逆転ベルトを含むシート材分離手段とを備え、上記逆転ベルトは、スポンジ部材ＳＰの外周に、表面が光沢を有する程度に平滑化されたウレタンゴムからなるコーティング層を設けてなる構成であってもよい。
【０１２１】
逆転ローラの弾性層をスポンジ部材ＳＰで構成し、その外周面に表面が滑らかな光沢を有するコーティング層を設けることで、シート材に対する接触状態が均一で接触面積が大きくなり、部分的な接触圧力を小さく、かつ、均一に分散させることができる。このため、シート面が過度に擦られることがなく、例えば、シート面に形成された鉛筆書きの画像や定着性が低い画像が尾引き現象を起こしてシート材が汚れたり画像が不鮮明になったりして品質が低下してしまうのを防止でき、シート材に対して良好な処理を行うことができる。
【０１２２】
また、本実施の形態にかかるシート材材給送装置は、上記コーティング層（平滑部材）の表面の平均粗さＲａ（μｍ）が、０．０９≦Ｒａ≦０．１１の範囲内である構成がより好ましい。
【０１２３】
上記コーティング層表面の平均粗さＲａが、上記範囲を満たすように設定されることで、コーティング層表面を、光沢を有する程度に平滑化することができる。従って、シート面に形成された例えば鉛筆書きの画像や定着性が低い画像の尾引き現象が発生したり、シートが汚れたり画像が不鮮明になったりして品質が低下するのを防止でき、シートに対して良好な処理を行うことができる。
【０１２４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２５】
本発明にかかるシート材給送装置は、原稿を自動的に読取部へ搬送する原稿自動搬送装置（ＡＤＦ）を備えた画像読取装置や、給紙トレイから画像形成部へシート材を搬送して画像形成を行う画像形成装置に好適に適用できる。
【図面の簡単な説明】
【０１２６】
【図１】逆転ベルトローラＲ２ａの概略の構成を示す図面であり（ａ）は断面図であり（ｂ）は斜視図である。
【図２】本発明の実施形態を示すものであり、画像読取装置の概略構成を示す縦断面図である。
【図３】（ａ）、（ｂ）は、ベルト部材６６の断面を示す断面図である。
【図４】シート材をローラ（逆転ローラ）で押圧した場合に、ローラ表面の平滑度が、シート材の引き抜き力（摩擦力）にどのように影響するかを測定するための測定機の構成図である。
【図５】本実施の他の形態にかかるデジタル複合機（画像形成装置）の概略構成を示す断面図である。
【図６】上記デジタル複合機の斜視図である。
【符号の説明】
【０１２７】
１  画像読取装置
２  光学系
３  ＡＤＦ
１１  ＣＣＤ読取りユニット
１２  原稿台
１３  光源ユニット
１４  ミラーユニット
１６  原稿台
１７  排紙トレイ
２２  原稿載置トレイ
２３  湾曲搬送経路
５１  シート材給送装置
６６  ベルト部材
７０  駆動ローラ
７１  従動ローラ７１
７２  トルクリミッタ
７３  駆動源
１００  デジタル複合機
２１０  画像形成部
２１７  定着ユニット
２１９  排紙ローラ
２２２  感光体ドラム
２５０  搬送手段
２５１  用紙トレイ
２５２  給紙トレイ
２５４  手差トレイ
２７０  多段給紙部
Ｃｔ  コーティング層
ＳＰ  スポンジ部材
Ｒ２  搬送ローラ（シート材分離手段）
Ｒ２ａ  逆転ベルトローラ（ベルト部材、シート材分離手段）
【図１】
2006168859.tif 000005
【図２】
2006168859.tif 000006
【図３】
2006168859.tif 000007
【図４】
2006168859.tif 000008
【図５】
2006168859.tif 000009
【図６】
2006168859.tif 000010